(57)【要約】【課題】カートリッジ装着部からのカートリッジの離脱を安定に規制することができる感光体カートリッジを提供すること。【解決手段】  感光ドラム２を回転可能に支持するドラム支持部４６と、現像カートリッジ２０が装着される現像カートリッジ装着部４３とを有するドラムフレーム３１と、現像カートリッジ装着部４３からの現像カートリッジ２０の離脱を規制するロックレバー３３とを備えるドラムカートリッジ１において、ドラムフレーム３１に、ロックレバー３３が現像カートリッジ２０の離脱を規制しているときに左右方向の内方からロックレバー３３に向かい合うように、ロックレバーガイド４４を設け、ロックレバー３３のガタつきを抑制する。【選択図】図９
2015099223.tif 000002
【特許請求の範囲】
【請求項１】
現像剤像を担持するように構成される感光体と、
前記感光体を回転可能に支持する感光体支持部と、現像剤を収容するカートリッジが装着されるように構成されるカートリッジ装着部とを有するフレームと、
前記カートリッジ装着部からの前記カートリッジの離脱を規制する第１位置と、前記カートリッジ装着部からの前記カートリッジの離脱の規制を解除する第２位置との間を、前記感光体の回転軸線と平行な軸線を回転中心として回動するように構成されるロック部材と
を備え、
前記フレームは、前記ロック部材が前記第１位置に位置しているときに前記回転軸線が延びる軸線方向の内方から前記ロック部材に向かい合って配置され、前記ロック部材の前記軸線方向における移動を規制するように構成される規制部を有することを特徴とする、感光体カートリッジ。
【請求項２】
前記フレームは、前記軸線方向の端部に配置される第１壁と、前記軸線方向と直交する方向の端部に配置される第２壁とを有し、
前記第１壁は、前記ロック部材を支持し、
前記第２壁は、前記軸線方向において前記ロック部材に対して前記第１壁と反対側に配置される前記規制部を有することを特徴とする、請求項１に記載の感光体カートリッジ。
【請求項３】
前記ロック部材は、
前記規制部に当接するように構成される第１当接部と、
前記ロック部材の前記軸線に対して、前記第１当接部と反対側に配置され、前記第１壁に当接するように構成される第２当接部と
を備える
ことを特徴とする、請求項２に記載の感光体カートリッジ。
【請求項４】
前記ロック部材は、前記カートリッジに係合するように構成される係合部を有し、
前記ロック部材の前記軸線と前記係合部との間の距離は、前記ロック部材の前記軸線と前記第１当接部との間の距離よりも短いことを特徴とする、請求項３に記載の感光体カートリッジ。
【請求項５】
前記第１当接部は、前記ロック部材が前記第２位置に位置しているときに、前記ロック部材が前記第１位置から前記第２位置へ回動する方向において、前記規制部よりも下流に位置することを特徴とする、請求項３または４に記載の感光体カートリッジ。
【請求項６】
前記規制部は、前記ロック部材の前記第２位置から前記第１位置への回動方向に向かうにつれて前記軸線方向の外方へ傾斜する傾斜部を有することを特徴とする、請求項１〜５のいずれか一項に記載の感光体カートリッジ。
【請求項７】
前記フレームは、前記カートリッジが前記カートリッジ装着部に装着されたときに、前記カートリッジの把持部と間隔を隔てて配置される把持部を備えることを特徴とする、請求項１〜６のいずれか一項に記載の感光体カートリッジ。
【請求項８】
前記把持部は、前記カートリッジが前記カートリッジ装着部に装着されたときに、前記カートリッジの把持部に対して、画像形成装置本体に対する前記感光体カートリッジの装着方向に間隔を隔てて配置されることを特徴とする、請求項７に記載の感光体カートリッジ。
【発明の詳細な説明】
【技術分野】
【０００１】
本発明は、電子写真方式が採用される画像形成装置に装着される感光体カートリッジに関する。
【背景技術】
【０００２】
電子写真方式の画像形成装置に装着される感光体カートリッジとして、例えば、感光ドラムを有し、現像ローラを有する現像カートリッジが装着されるように構成されるドラムカートリッジが知られている。
【０００３】
このようなドラムカートリッジにおいて、ドラムカートリッジに対する現像カートリッジの離脱を規制するロック位置と、ドラムカートリッジからの現像カートリッジの離脱を許容するロック解除位置とに回動可能なロックレバーを設けることが知られている（例えば、下記特許文献１参照。）。
【先行技術文献】
【特許文献】
【０００４】
【特許文献１】特開２０１３−５４０５８号公報
【発明の概要】
【発明が解決しようとする課題】
【０００５】
上記した特許文献１に記載されるドラムカートリッジでは、ロックレバーは、回動軸の左端部において、ドラムカートリッジの左側の側壁に支持されている。そのため、ロックレバーは、回動軸の左端部を支点として、その右端部が上下にがたつく場合がある。
【０００６】
ロックレバーは、ロック位置に配置されているときに、その右端部において、現像カートリッジをロックしているので、右端部が上下にがたつくと、現像カートリッジに対するロックが外れるおそれがある。
【０００７】
そこで、本発明の目的は、カートリッジ装着部からのカートリッジの離脱を安定に規制することができる感光体カートリッジを提供することにある。
【課題を解決するための手段】
【０００８】
（１）上記した目的を達成するため、本発明の感光体カートリッジは、現像剤像を担持するように構成される感光体と、感光体を回転可能に支持する感光体支持部と、現像剤を収容するカートリッジが装着されるように構成されるカートリッジ装着部とを有するフレームと、カートリッジ装着部からのカートリッジの離脱を規制する第１位置と、カートリッジ装着部からのカートリッジの離脱の規制を解除する第２位置との間を、感光体の回転軸線と平行な軸線を回転中心として回動するように構成されるロック部材とを備える。
【０００９】
フレームは、ロック部材が第１位置に位置しているときに回転軸線が延びる軸線方向の内方からロック部材に向かい合って配置され、ロック部材の軸線方向における移動を規制するように構成される規制部を有する。
【００１０】
このような構成によれば、ロック部材が第１位置に位置しているときに、当接部がロック部材の軸線方向内方の端部に当接することによって、ロック部材の軸線方向内方の端部のガタつきを規制できる。
【００１１】
これにより、カートリッジに対するロック部材のロックが外れることを防止できる。
【００１２】
その結果、カートリッジ装着部からのカートリッジの離脱を安定に規制することができる。
（２）フレームは、軸線方向の端部に配置される第１壁と、軸線方向と直交する方向の端部に配置される第２壁とを有してもよい。この場合、第１壁は、ロック部材を支持し、第２壁は、軸線方向においてロック部材に対して第１壁と反対側に配置される規制部を有してもよい。
【００１３】
このような構成によれば、ロック部材を支持する第１壁とは反対側において、ロック部材のガタつきを規制できる。
【００１４】
そのため、第１壁と規制部とで挟むように、ロック部材のガタつきを効率よく規制できる。
（３）ロック部材は、規制部に当接するように構成される第１当接部と、ロック部材の軸線に対して、第１当接部と反対側に配置され、第１壁に当接するように構成される第２当接部とを備えてもよい。
【００１５】
このような構成によれば、ロック部材がガタついたときに、ロック部材の軸線に対して一方側で、第１当接部を規制部に当接させ、ロック部材の軸線に対して他方側で、第２当接部を第１壁に当接させることができる。
【００１６】
そのため、ロック部材の軸線を挟む両側で、ロック部材のガタつきを規制できる。
【００１７】
その結果、ロック部材のガタつきをより確実に規制できる。
（４）ロック部材は、カートリッジに係合するように構成される係合部を有してもよい。この場合、ロック部材の軸線と係合部との間の距離は、ロック部材の軸線と第１当接部との間の距離よりも短くてもよい。
【００１８】
このような構成によれば、ロック部材が第１位置に位置している状態でカートリッジから係合部に力が作用したとしても、係合部よりも軸線から離れた第１当接部をフレームの規制部に当接させることができる。
【００１９】
そのため、第１当接部が係合部よりも軸線から離れている分、カートリッジから係合部に作用している力よりも小さな力で、ロック部材のガタつきを規制できる。
【００２０】
その結果、ロック部材のガタつきを、より効率よく規制できる。
（５）第１当接部は、ロック部材が第２位置に位置しているときに、ロック部材が第１位置から第２位置へ回動する方向において、規制部よりも下流に位置してもよい。
【００２１】
このような構成によれば、規制部に干渉することなく、ロック部材を第２位置に位置させることができる。
【００２２】
そのため、ロック部材を第１位置から第２位置へ円滑に回動させることができる。
（６）規制部は、ロック部材の第２位置から第１位置への回動方向に向かうにつれて軸線方向の外方へ傾斜する傾斜部を有してもよい。
【００２３】
このような構成によれば、ロック部材を第２位置から第１位置へ回動させるときに、傾斜部によって、ロック部材を規制部の軸線方向外方へ案内できる。
【００２４】
そのため、ロック部材を第２位置から第１位置へ円滑に回動させることができる。
（７）フレームは、カートリッジがカートリッジ装着部に装着されたときに、カートリッジの把持部と間隔を隔てて配置される把持部を備えてもよい。
【００２５】
このような構成によれば、カートリッジが装着された感光体カートリッジを取り扱うときに、感光体カートリッジの把持部をカートリッジの把持部とは別に把持する場合がある。
【００２６】
この場合、感光体カートリッジのフレームが撓んで、カートリッジに対するロック部材のロックがより外れやすくなるおそれがある。
【００２７】
しかし、この場合にも、上記したように、ロック部材の軸線方向内方の端部のガタつきを規制部で規制できるので、カートリッジ装着部からのカートリッジの離脱を安定に規制することができる。
（８）把持部は、カートリッジがカートリッジ装着部に装着されたときに、カートリッジの把持部に対して、画像形成装置本体に対する感光体カートリッジの装着方向に間隔を隔てて配置されてもよい。
【００２８】
このような構成によれば、画像形成装置本体に対して感光体カートリッジを装着するときに、感光体カートリッジの把持部をカートリッジの把持部とは別に把持する場合がある。
【００２９】
しかし、この場合にも、上記したように、ロック部材の軸線方向内方の端部のガタつきを規制部で規制できるので、カートリッジ装着部からのカートリッジの離脱を安定に規制することができる。
【発明の効果】
【００３０】
本発明の感光体カートリッジは、カートリッジ装着部からのカートリッジの離脱を安定に規制することができる。
【図面の簡単な説明】
【００３１】
【図１】図１は、本発明の感光体カートリッジの一実施形態としてのドラムカートリッジの左上方から見た斜視図である。
【図２】図２は、図１に示すドラムカートリッジの中央断面図である。
【図３】図３は、図１に示すドラムカートリッジが装着されるプリンタの中央断面図である。
【図４】図４Ａは、図１に示すロックレバーの左上方から見た斜視図である。図４Ｂは、図１に示すロックレバーの右下方から見た斜視図である。
【図５】図５は、図３に示す現像カートリッジの左上方から見た斜視図である。
【図６】図６は、図５に示す現像カートリッジの後上方から見た斜視図である。
【図７】図７は、図３に示すプロセスカートリッジの後上方から見た斜視図である。
【図８】図８は、図７に示すプロセスカートリッジの平面図である。
【図９】図９は、図８に示すプロセスカートリッジのＡ−Ａ断面図である。
【図１０】図１０Ａは、ドラムカートリッジからの現像カートリッジの離脱作業を説明する説明図であって、図８に示すプロセスカートリッジのＢ−Ｂ断面図に相当し、ロックレバーがロック位置に位置した状態を示す。図１０Ｂは、ドラムカートリッジからの現像カートリッジの離脱作業を説明する説明図であって、図８に示すプロセスカートリッジのＢ−Ｂ断面図に相当し、ロックレバーがロック解除位置に位置した状態を示す。
【発明を実施するための形態】
【００３２】
１．ドラムカートリッジの概略
以下の説明において、ドラムカートリッジ１の方向に言及するときには、ドラムカートリッジ１を水平に載置した状態を上下の基準とする。具体的には、図１中に示す方向矢印を基準とする。左右方向は、軸線方向の一例である。前後方向は、装着方向の一例である。
【００３３】
感光体カートリッジの一例としてのドラムカートリッジ１は、図１に示すように、平面視略枠形の有底枠形状を有している。ドラムカートリッジ１は、図２に示すように、感光体の一例としての感光ドラム２と、スコロトロン型帯電器３と、転写ローラ４とを備えている。
【００３４】
感光ドラム２は、ドラムカートリッジ１の後端部に回転可能に支持されている。感光ドラム２は、左右方向に延びる略円筒形状を有している。感光ドラム２の回転軸線Ａ１は、左右方向に延びている。
【００３５】
スコロトロン型帯電器３は、感光ドラム２の後上方において、感光ドラム２と間隔を隔てて配置されている。
【００３６】
転写ローラ４は、感光ドラム２の下方に配置されている。転写ローラ４は、感光ドラム２の下端部と接触している。
２．ドラムカートリッジの使用態様
図３に示すように、ドラムカートリッジ１は、画像形成装置１１に装着されて使用される。
【００３７】
画像形成装置１１は、電子写真方式のモノクロプリンタである。画像形成装置１１は、画像形成装置本体の一例としての装置本体１２と、プロセスカートリッジ１３と、スキャナユニット１４と、定着ユニット１５とを備えている。
【００３８】
装置本体１２は、略ボックス形状に形成されている。装置本体１２は、開口部１６と、フロントカバー１７と、給紙トレイ１８と、排紙トレイ１９とを有している。
【００３９】
開口部１６は、装置本体１２の前端部に配置されている。開口部１６は、プロセスカートリッジ１３の通過を許容するように、装置本体１２の内外を前後方向に連通している。
【００４０】
フロントカバー１７は、装置本体１２の前端部に配置されている。フロントカバー１７は、略平板形状を有している。フロントカバー１７は、上下方向に延び、その下端部を支点として装置本体１２の前壁に揺動可能に支持されている。フロントカバー１７は、開口部１６を開放または閉鎖するように構成されている。
【００４１】
給紙トレイ１８は、装置本体１２の底部に配置されている。給紙トレイ１８は、用紙Ｐを収容するように構成されている。
【００４２】
排紙トレイ１９は、装置本体１２の上壁の前側半分に配置されている。排紙トレイ１９は、用紙Ｐが載置されるように、装置本体１２の上面から下方へ凹んでいる。
【００４３】
プロセスカートリッジ１３は、装置本体１２の上下方向略中央に収容されている。プロセスカートリッジ１３は、開口部１６を介して装置本体１２に対して装着または離脱するように構成されている。プロセスカートリッジ１３は、上記したドラムカートリッジ１と、カートリッジの一例としての現像カートリッジ２０とを備えている。
【００４４】
現像カートリッジ２０は、感光ドラム２の後方において、ドラムカートリッジ１に装着されている。現像カートリッジ２０は、現像ローラ２１と、供給ローラ２２と、層厚規制ブレード２３と、トナー収容部２４とを備えている。
【００４５】
現像ローラ２１は、現像カートリッジ２０の後端部に回転可能に支持されている。現像ローラ２１は、感光ドラム２の前端部に接触している。
【００４６】
供給ローラ２２は、現像ローラ２１の前下方に配置されている。供給ローラ２２は、現像カートリッジ２０に回転可能に支持されている。供給ローラ２２は、現像ローラ２１の前下端部に接触している。
【００４７】
層厚規制ブレード２３は、現像ローラ２１の前上方に配置されている。層厚規制ブレード２３は、現像ローラ２１の前端部に接触している。
【００４８】
トナー収容部２４は、供給ローラ２２および層厚規制ブレード２３の前方に配置されている。トナー収容部２４は、現像剤の一例としてのトナーを収容するように構成されている。トナー収容部２４は、アジテータ２５を備えている。
【００４９】
アジテータ２５は、トナー収容部２４内に回転可能に支持されている。
【００５０】
スキャナユニット１４は、プロセスカートリッジ１３の上方に配置されている。スキャナユニット１４は、感光ドラム２に向けて画像データに基づくレーザービームを出射するように構成されている。
【００５１】
定着ユニット１５は、プロセスカートリッジ１３の後方に配置されている。定着ユニット１５は、加熱ローラ２６と、加熱ローラ２６の後下端部に圧接される加圧ローラ２７とを備えている。
【００５２】
画像形成装置１１が画像形成動作を開始すると、スコロトロン型帯電器３は、感光ドラム２の表面を一様に帯電する。スキャナユニット１４は、感光ドラム２の表面を露光する。これにより、画像データに基づく静電潜像が、感光ドラム２の表面に形成される。
【００５３】
また、アジテータ２５は、トナー収容部２４内のトナーを撹拌して、供給ローラ２２に供給する。供給ローラ２２は、アジテータ２５によって供給されたトナーを現像ローラ２１に供給する。このとき、トナーは、現像ローラ２１と供給ローラ２２との間で正極性に摩擦帯電され、現像ローラ２１に担持される。層厚規制ブレード２３は、現像ローラ２１に担持されたトナーの層厚を一定厚さに規制する。
【００５４】
そして、現像ローラ２１に担持されたトナーは、感光ドラム２表面の静電潜像に供給される。これにより、現像剤像の一例としてのトナー像が、感光ドラム２の表面に担持される。
【００５５】
用紙Ｐは、給紙トレイ１８から、各種ローラの回転により、所定のタイミングで１枚ずつ、感光ドラム２と転写ローラ４との間に給紙される。感光ドラム２表面のトナー像は、用紙Ｐが感光ドラム２と転写ローラ４との間を通過するときに、用紙Ｐに転写される。
【００５６】
その後、用紙Ｐは、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ１９に排紙される。
３．ドラムカートリッジの詳細
図１および図２に示すように、ドラムカートリッジ１は、フレームの一例としてのドラムフレーム３１と、押圧部材３２と、ロック部材の一例としてのロックレバー３３とを備えている。
（１）ドラムフレーム
ドラムフレーム３１は、ベースフレーム３４と、カバーフレーム３５とを備えている。
【００５７】
ベースフレーム３４は、平面視略矩形の有底枠形状を有している。ベースフレーム３４は、１対の側壁３６と、第２壁の一例としての下壁３７と、後壁３８と、前壁３９とを一体的に備えている。
【００５８】
１対の側壁３６のそれぞれは、ベースフレーム３４の左右方向両端部のそれぞれに配置されている。１対の側壁３６のそれぞれは、側面視略矩形の平板形状を有している。１対の側壁３６のそれぞれは、前後方向に延びている。１対の側壁３６のそれぞれは、カラー受入部４５を有している。また、第１壁の一例としての左方の側壁３６Ｌは、ロックレバー支持部４０を有している。
【００５９】
カラー受入部４５は、側壁３６の前後方向略中央に配置されている。カラー受入部４５は、第１受入部４５Ａと、第２受入部４５Ｂとを有している。
【００６０】
第１受入部４５Ａは、側壁３６の上端部から下方へ凹み、上端部が解放された側面視略Ｕ字形状を有している。
【００６１】
第２受入部４５Ｂは、第１受入部４５Ａの後端部の下端部から後方へ凹み、前端部が解放された側面視略Ｕ字形状を有している。
【００６２】
ロックレバー支持部４０は、左方の側壁３６Ｌの前端部に配置されている。ロックレバー支持部４０は、図９に示すように、嵌合穴４０Ａと、筒部４０Ｂとを有している。
【００６３】
嵌合穴４０Ａは、左方の側壁３６Ｌを左右方向に貫通している。
【００６４】
筒部４０Ｂは、嵌合穴４０Ａを囲むように、左方の側壁３６Ｌの左面から左方へ延びる略円筒形状を有している。
【００６５】
下壁３７は、図１および図２に示すように、１対の側壁３６の下端部間に架設され、前後方向に延びている。下壁３７は、平面視略矩形の平板形状を有している。下壁３７は、２つの押圧部材支持部４１と、規制部の一例としてのロックレバーガイド４４とを有している。
【００６６】
２つの押圧部材支持部４１のそれぞれは、下壁３７の左右両端部のそれぞれに配置されている。２つの押圧部材支持部４１のそれぞれは、前後方向に延び、後端部が閉鎖された略角柱形状を有している。
【００６７】
ロックレバーガイド４４は、左方の側壁３６Ｌの右方に間隔を隔てて、左方の押圧部材支持部４１の左前方に配置されている。ロックレバーガイド４４は、下壁３７の上面から上方へ延び、側面視略矩形状を有している。ロックレバーガイド４４は、傾斜部の一例としてのガイド部４４Ａを有している。
【００６８】
ガイド部４４Ａは、ロックレバーガイド４４の後端部に配置されている。ガイド部４４Ａの左面は、後方から前方へ向うにつれて左方、すなわち、左右方向外方へ傾斜している。
【００６９】
後壁３８は、下壁３７の後端部から上方へ突出し、左右方向に延びている。後壁３８は、正面視略矩形の平板形状を有している。
【００７０】
前壁３９は、下壁３７の前端部から連続して上方へ延びている。前壁３９は、正面視略矩形の平板形状を有している。前壁３９の左右両端部は、１対の側壁３６の前端部に連続している。前壁３９は、感光体カートリッジの把持部の一例としてのドラムカートリッジ把持部４２を備えている。
【００７１】
ドラムカートリッジ把持部４２は、前壁３９の左右方向略中央に配置されている。ドラムカートリッジ把持部４２は、平面視略矩形の平板形状を有している。ドラムカートリッジ把持部４２は、前壁３９の上端部から前方へ延びている。ドラムカートリッジ把持部４２は、凹部４２Ａを有している。
【００７２】
凹部４２Ａは、ドラムカートリッジ把持部４２の後端部の左右方向略中央に配置されている。凹部４２Ａは、ドラムカートリッジ把持部４２の上面から下方へ向かって凹むとともに後方へ開放されている。凹部４２Ａの底壁は、前方へ向かうにつれて上方へ傾斜している。凹部４２Ａは、複数のリブ４２Ｂを備えている。
【００７３】
複数のリブ４２Ｂのそれぞれは、凹部４２Ａの底壁の上面から上方にわずかに突出し、左右方向に延びている。複数のリブ４２Ｂのそれぞれは、前後方向に互いに間隔を隔てて配置されている。
【００７４】
カバーフレーム３５は、感光ドラム２を覆うように、ベースフレーム３４の後端部の上方に配置されている。カバーフレーム３５は、スコロトロン型帯電器３を支持している。
【００７５】
なお、ドラムカートリッジ１において、カバーフレーム３５、１対の側壁３６、および、ベースフレーム３４の下壁３７の後端部によって構成される略ボックス形状の部分が、感光ドラム２を支持する感光体支持部の一例としてのドラム支持部４６である。
【００７６】
また、カバーフレーム３５よりも前方において、カバーフレーム３５の前端部、１対の側壁３６および前壁３９によって画定される部分が、現像カートリッジ２０が装着されるカートリッジ装着部の一例としての現像カートリッジ装着部４３である。
（２）押圧部材
２つの押圧部材３２のそれぞれは、２つの押圧部材支持部４１のそれぞれの内方において、前後方向にスライド可能に配置されている。２つの押圧部材３２のそれぞれは、後端部が閉鎖された略角柱形状を有している。２つの押圧部材３２のそれぞれの後面３２Ａは、その上下方向中央が後方へ向って膨出する側面視略円弧形状を有している。２つの押圧部材３２のそれぞれは、図８に示すように、圧縮バネ４７によって、常には、後方へ付勢されている。
（３）ロックレバー
ロックレバー３３は、図１に示すように、現像カートリッジ装着部４３の左前端部に配置されている。ロックレバー３３は、後述する操作部５２が上下方向に起立する第１位置の一例としてのロック位置（図１０Ａ参照）と、後述する操作部５２がロック位置から前方へ傾倒する第２位置の一例としてのロック解除位置（図１０Ｂ参照）との間を回動する。なお、以下のロックレバー３３の説明では、ロックレバー３３がロック位置に位置した状態を基準とする。
（３−１）ロックレバーの構成
ロックレバー３３は、図４Ａおよび図４Ｂに示すように、回転軸５１と、操作部５２と、リフト部５３と、弾性部５７とを一体的に備えている。
【００７７】
回転軸５１は、左右方向に延びる略円柱形状を有している。つまり、回転軸５１の中心軸線Ａ２は、左右方向に延びている。回転軸５１は、嵌合部５５を備えている。
【００７８】
嵌合部５５は、回転軸５１の左端部から左方へ延び、回転軸５１と中心軸線を共有する略円柱形状を有している。嵌合部５５の外径は、回転軸５１の外径よりも小径である。
【００７９】
操作部５２は、回転軸５１の右端部から上方へ向かって延びる略杆形状を有している。また、操作部５２は、第２当接部の一例としての当接リブ５６と、ロック部５４を有している。
【００８０】
当接リブ５６は、操作部５２の下端部に配置されている。当接リブ５６は、操作部５２の左面から左方へ突出し、前後方向に延びる突条である。
【００８１】
ロック部５４は、操作部５２の上端部に配置されている。ロック部５４は、左右方向に延びる略平板形状を有している。ロック部５４の右端部は、回転軸５１の右端部よりも右方へ突出している。ロック部５４の後端部５４Ａは、係合部の一例である。
【００８２】
リフト部５３は、回転軸５１の右端部から後下方へ向かって延びる略杆形状を有している。リフト部５３の後下端部の右面５３Ａは、第１当接部の一例である。リフト部５３は、当接突起５３Ｂを有している。
【００８３】
当接突起５３Ｂは、リフト部５３の後下端部の左端部から後上方へ延びる略角柱形状を有している。
【００８４】
弾性部５７は、回転軸５１の左端部から後下方へ向かって、リフト部５３と平行して延びている。弾性部５７は、リフト部５３よりも細い略杆形状を有している。
（３−２）ロックレバーの組み付け状態
ロックレバー３３は、図１および図９に示すように、嵌合部５５がロックレバー支持部４０の嵌合穴４０Ａ内に回転可能に嵌まることにより、左方の側壁３６Ｌに回動可能に支持されている。回転軸５１の中心軸線Ａ２は、ロックレバー３３の回転中心である。
【００８５】
弾性部５７の後下端部は、下壁３７に係止されている。弾性部５７は、ロックレバー３３がロック解除位置に位置しているときに撓み、ロックレバー３３がロック位置に位置しているときに撓みが解消されるように構成されている。ロックレバー３３は、弾性部５７の弾性により、常には、ロック位置に位置するように付勢されている。
【００８６】
ロックレバー３３がロック位置に位置しているときには、操作部５２は、左方の側壁３６Ｌの上端縁よりも上方に配置されている。また、当接リブ５６は、ドラムフレーム３１の左方の側壁３６Ｌの右面に向かい合っている。また、リフト部５３の後下端部の右面５３Ａは、ロックレバーガイド４４の左方に配置され、ロックレバーガイド４４の左面に向かい合っている。
【００８７】
また、図１０Ａに示すように、ロックレバー３３の回転軸５１の中心軸線Ａ２とロック部５４の後端部５４Ａとの間の距離Ｄ１は、ロックレバー３３の回転軸５１の中心軸線Ａ２とリフト部５３の後下端部の右面５３Ａとの間の距離Ｄ２よりも短い。
４．現像カートリッジの詳細
現像カートリッジ２０は、図５および図６に示すように、現像フレーム７１と、駆動部７０と、給電部６９とを備えている。
【００８８】
現像フレーム７１は、略ボックス形状を有している。現像フレーム７１は、１対の側壁７２と、下壁７４と、前壁７３と、上壁７５とを備えている。
【００８９】
１対の側壁７２のそれぞれは、現像フレーム７１の左右方向両端部のそれぞれに配置されている。１対の側壁７２のそれぞれは、前後方向に延びる側面視略矩形の平板形状を有している。
【００９０】
下壁７４は、前後方向に延びる略平板形状を有している。下壁７４の左右両端部は、１対の側壁７２の下端部に連続している。
【００９１】
前壁７３は、下壁７４の前端部に連続して上方へ延びている。前壁７３は、正面視略矩形の平板形状を有している。前壁７３の左右両端部は、１対の側壁７２の前端部に連続している。前壁７３は、カートリッジの把持部の一例としての現像カートリッジ把持部７６を備えている。
【００９２】
現像カートリッジ把持部７６は、前壁７３の左右方向略中央に配置されている。現像カートリッジ把持部７６は、前壁７３の前面から前方へ突出し、下端部が解放された略角筒形状を有している。
【００９３】
上壁７５は、平面視略矩形の平板形状を有している。上壁７５の前端部は、前壁７３の上端部に固定されている。上壁７５の左右両端部は、１対の側壁７２の上端部に固定されている。
【００９４】
駆動部７０は、現像フレーム７１の左方に配置されている。駆動部７０は、図示しないギア列と、図示しないギア列の後半分を覆う第１カバー７９と、図示しないギア列の前半分を覆う第２カバー７７とを備えている。図示しないギア列は、装置本体１２からの駆動力を、現像ローラ２１、供給ローラ２２およびアジテータ２５に伝達する。
【００９５】
第１カバー７９は、駆動部７０の後端部に配置されている。第１カバー７９は、左右方向に延び、左端部が閉鎖された略角筒形状を有している。第１カバー７９は、カラー部８０を備えている。
【００９６】
カラー部８０は、第１カバー７９の後下端部に配置されている。カラー部８０は、左右方向に延び、左端部が閉鎖された略円筒形状を有している。カラー部８０は、現像ローラ２１の回転軸の左端部に嵌まっている。
【００９７】
第２カバー７７は、左右方向に延びる略角筒形状を有している。第２カバー７７は、被ロック部７８を備えている。
【００９８】
被ロック部７８は、第２カバー７７の前端部に配置されている。被ロック部７８は、正面視略矩形の平板形状を有している。被ロック部７８は、第２カバー７７の左面から左方へ突出し、上下方向に延びている。
【００９９】
給電部６９は、図６に示すように、現像フレーム７１の右端部の後端部に支持されている。給電部６９は、現像電極８１を備えている。
【０１００】
現像電極８１は、現像フレーム７１の後下端部に支持されている。現像電極８１は、前後方向に延びる略角柱形状を有している。現像電極８１は、導電性樹脂からなる。現像電極８１は、接触部８３と、カラー部８２とを有している。
【０１０１】
接触部８３は、現像電極８１の前半分に配置されている。接触部８３は、左右方向に延び、右端部が閉鎖された略角柱形状を有している。接触部８３は、装置本体１２内の図示しない電極に接触して電力を受ける。
【０１０２】
カラー部８２は、現像電極８１の後半分に配置されている。カラー部８２は左右方向に延びる略円筒形状を有している。カラー部８２は、現像ローラ２１の回転軸の右端部に嵌まっている。
５．ドラムカートリッジからの現像カートリッジの離脱作業
（１）ドラムカートリッジに対する現像カートリッジの装着状態
現像カートリッジ２０は、図７および図８に示すように、ドラムカートリッジ１の現像カートリッジ装着部４３に装着される。
【０１０３】
現像カートリッジ２０がドラムカートリッジ１に装着されているときには、第１カバー７９のカラー部８０は、左方の側壁３６Ｌのカラー受入部４５の第２受入部４５Ｂ内に嵌まっている。また、現像電極８１のカラー部８２は、右方の側壁３６Ｒのカラー受入部４５の第２受入部４５Ｂ内に嵌まっている。これにより、現像ローラ２１は、感光ドラム２に対して上下方向に位置固定されている。
【０１０４】
また、押圧部材３２は、現像カートリッジ２０の側壁７２の前端部に当接し、圧縮ばね５４の付勢力により、側壁７２を後方へ押圧している。これにより、現像ローラ２１は、感光ドラム２に押圧されている。
【０１０５】
また、現像カートリッジ把持部７６は、ドラムカートリッジ把持部４２の後方に、間隔を隔てて向かい合うように位置している。詳しくは、現像カートリッジ把持部７６の前端縁は、ドラムカートリッジ把持部４２の後端縁に対して前後方向に間隔を隔てている。また、ドラムフレーム３１の下壁３７の前端部は、上方から見て、現像カートリッジ把持部７６の前端縁とドラムカートリッジ把持部４２の後端縁との間から露出している。
【０１０６】
また、図７および図９に示すように、ロックレバー３３のロック部５４は、現像カートリッジ２０の被ロック部７８の上方に配置される。また、図９および図１０Ａに示すように、リフト部５３の後下端部の右面５３Ａは、第２カバー７７の前端部の下方に位置している。
【０１０７】
そして、図９に示す状態で、現像カートリッジ２０の前端部が上方へ移動すると、現像カートリッジ２０の被ロック部７８は、ロックレバー３３のロック部５４に当接する。
【０１０８】
すると、ロックレバー３３は、現像カートリッジ２０の被ロック部７８から、回転軸５１の嵌合部５５を支点として正面視反時計回りに力を受ける。
【０１０９】
このとき、ロックレバー３３の当接リブ５６は、ドラムフレーム３１の左方の側壁３６Ｌの右面に当接する。すると、ロックレバー３３の操作部５２は、それ以上の左方への移動が規制される。また、ロックレバー３３のリフト部５３の後下端部の右面５３Ａは、ドラムフレーム３１のロックレバーガイド４４の左面に当接する。すると、ロックレバー３３のリフト部５３は、それ以上の右方への移動が規制される。
【０１１０】
これにより、ロックレバー３３は、正面視反時計回りのガタつきが規制された状態で、現像カートリッジ２０の前端部のそれ以上の上方への移動を規制する。
【０１１１】
このように、ロックレバー３３は、ロック位置において、現像カートリッジ２０のドラムカートリッジ１からの離脱を規制する。
（２）ドラムカートリッジからの現像カートリッジの離脱作業
ドラムカートリッジ１からの現像カートリッジ２０の離脱作業において、作業者は、まず、図１０Ａに示す状態で、ロックレバー３３の操作部５２を前下方へ押圧する。
【０１１２】
すると、ロックレバー３３は、回転軸５１の中心軸線Ａ２を中心に左側面視時計回りに回動し、図１０Ｂに示すように、ロック解除位置に位置する。
【０１１３】
このとき、ロック部５４は、現像カートリッジ２０の被ロック部７８よりも前方へ退避している。つまり、現像カートリッジ装着部４３からの現像カートリッジ２０の離脱の規制が解除される。また、リフト部５３の当接突起５３Ｂは、第２カバー７７の前端部に下方から当接し、第２カバー７７を上方へ押圧して、ロックレバーガイド４４よりも上方に位置している。これにより、現像カートリッジ２０の前端部は、上方へ移動している。
【０１１４】
次いで、作業者は、現像カートリッジ把持部７６を把持して、現像カートリッジ２０をドラムカートリッジ１の現像カートリッジ装着部４３から上方へ離脱させる。
【０１１５】
このように、ドラムカートリッジ１からの現像カートリッジ２０の離脱が完了する。
【０１１６】
なお、現像カートリッジ２０をドラムカートリッジ１に装着するときには、作業者は、現像カートリッジ把持部７６を把持して、現像カートリッジ２０の後端部をドラムカートリッジ１の現像カートリッジ装着部４３に上方から挿入し、その後、現像カートリッジ２０の前端部を下方へ押圧する。
【０１１７】
すると、現像カートリッジ２０は、現像ローラ２１が感光ドラム２に前方から当接された後、その後端部を支点として左側面視時計回りに回動し、上記したように、現像カートリッジ装着部４３内に装着される。
【０１１８】
このように、ドラムカートリッジ１に対する現像カートリッジ２０の装着が完了する。
６．装置本体に対するプロセスカートリッジの装着または離脱
現像カートリッジ２０が装着されたドラムカートリッジ１、すなわち、プロセスカートリッジ１３を装置本体１２に装着または離脱する場合には、作業者は、ドラムカートリッジ把持部４２を把持し、図３に示すように、フロントカバー１７を開放して、開口部１６を介してプロセスカートリッジ１３を装置本体１２に対して装着または離脱する。
【０１１９】
このとき、作業者がドラムカートリッジ把持部４２を把持した状態において、ドラムカートリッジ１の後端部は、感光ドラム２や現像カートリッジ２０の重みにより、ドラムカートリッジ１の前端部に対して下方へ撓む。
【０１２０】
すると、現像カートリッジ２０の前端部は、第１カバー７９のカラー部８０が左方の側壁３６Ｌの第２受入部４５Ｂ内に嵌まり、現像電極８１のカラー部８２が右方の側壁３６Ｒの第２受入部４５Ｂ内に嵌まっているので、ドラムカートリッジ１の後端部の撓みに追従して下方へ移動する。
【０１２１】
すると、現像カートリッジ２０の前端部は、現像カートリッジ２０の後端部とは反対に、ドラムカートリッジ１の前端部に対して上方へ浮き上がるように移動する。
【０１２２】
このとき、上記したように、現像カートリッジ２０の被ロック部７８がロックレバー３３のロック部５４に当接する場合があるが、ロックレバー３３は、正面視反時計回りのガタつきが規制されているので、現像カートリッジ２０の前端部のそれ以上の上方への移動を、確実に規制できる。
７．作用効果
（１）このドラムカートリッジ１によれば、図９に示すように、ロックレバー３３がロック位置に位置しているときに、ロックレバーガイド４４がロックレバー３３のリフト部５３の後下端部の右面５３Ａに当接する。
【０１２３】
これにより、ロックレバー３３の正面視反時計回りへの回動を規制でき、現像カートリッジ２０の被ロック部７８に対するロックレバー３３のロック部５４の係合が外れることを防止できる。
【０１２４】
その結果、現像カートリッジ装着部４３からの現像カートリッジ２０の離脱を安定に規制することができる。
（２）このドラムカートリッジ１によれば、図９に示すように、ロックレバー３３を支持する左方の側壁３６Ｌとは反対側において、ロックレバーガイド４４により、ロックレバー３３のガタつきを規制できる。
【０１２５】
そのため、左方の側壁３６Ｌとロックレバーガイド４４とで挟むように、ロックレバー３３のガタつきを効率よく規制できる。
（３）このドラムカートリッジ１によれば、図９に示す状態で、現像カートリッジ２０の前端部が上方へ移動すると、現像カートリッジ２０の被ロック部７８は、ロックレバー３３のロック部５４に当接する。
【０１２６】
すると、ロックレバー３３は、現像カートリッジ２０の被ロック部７８から、回転軸５１の嵌合部５５を支点として正面視反時計回りに力を受ける。
【０１２７】
このとき、ロックレバー３３の当接リブ５６は、ドラムフレーム３１の左方の側壁３６Ｌの右面に当接する。すると、ロックレバー３３の操作部５２は、それ以上の左方への移動が規制される。また、ロックレバー３３のリフト部５３の後下端部は、ドラムフレーム３１のロックレバーガイド４４の左面に当接する。すると、ロックレバー３３のリフト部５３は、それ以上の右方への移動が規制される。
【０１２８】
これにより、ロックレバー３３の回転軸５１の上下方向両方で、ロックレバー３３のガタつきを規制できる。
【０１２９】
その結果、ロックレバー３３のガタつきをより確実に規制できる。
（４）このドラムカートリッジ１によれば、図１０Ａに示すように、ロックレバー３３の回転軸５１の中心軸線Ａ２とロック部５４の後端部５４Ａとの間の距離Ｄ１は、ロックレバー３３の回転軸５１の中心軸線Ａ２とリフト部５３の後下端部の右面５３Ａとの間の距離Ｄ２よりも短い。
【０１３０】
そのため、図９に示すように、ロックレバー３３がロック位置に位置している状態で現像カートリッジ２０の被ロック部７８からロックレバー３３のロック部５４に上方へ力が作用した場合に、ロック部５４よりも回転軸５１から離れたリフト部５３の後下端部の右面５３Ａを、ドラムフレーム３１のロックレバーガイド４４に当接させることができる。
【０１３１】
そのため、リフト部５３の後下端部の右面５３Ａがロック部５４よりも回転軸５１から離れている分、現像カートリッジ２０からロック部５４に作用している力よりも小さな力で、ロックレバー３３の正面視反時計回りのガタつきを規制できる。
【０１３２】
その結果、ロックレバー３３のガタつきを、より効率よく規制できる。
（５）このドラムカートリッジ１によれば、図１０Ｂに示すように、ロックレバー３３のリフト部５３は、ロック解除位置に位置しているときに、ロックレバーガイド４４よりも上方に位置している。
【０１３３】
そのため、ロックレバーガイド４４に干渉することなく、ロックレバー３３をロック解除位置に位置させることができる。
【０１３４】
その結果、ロックレバー３３を、ロック位置からロック解除位置へ円滑に回動させることができる。
（６）このドラムカートリッジ１によれば、図１中の要部拡大図に示すように、ロックレバーガイド４４の後端部は、前方に向かうにつれて左方へ傾斜するガイド部４４Ａを有している。
【０１３５】
そのため、ロックレバー３３をロック解除位置からロック位置へ回動させるときに、ガイド部４４Ａによって、ロックレバー３３をロックレバーガイド４４の左方へ案内できる。
【０１３６】
その結果、ロックレバー３３をロック解除位置からロック位置へ円滑に回動させることができる。
（７）このドラムカートリッジ１によれば、図７および図８に示すように、現像カートリッジ２０が現像カートリッジ装着部４３に装着されたときに、ドラムカートリッジ把持部４２は、現像カートリッジ把持部７６の前方に間隔を隔てて配置される。
【０１３７】
そのため、装置本体１２に対してドラムカートリッジ１を装着または離脱するときなど、現像カートリッジ２０が装着されたドラムカートリッジ１を取り扱うときに、ドラムカートリッジ把持部４２を現像カートリッジ把持部７６とは別に把持する場合がある。
【０１３８】
この場合、ドラムフレーム３１が撓んで、現像カートリッジ２０の被ロック部７８に対するロックレバー３３のロック部５４の係合が外れやすくなるおそれがある。
【０１３９】
しかし、この場合にも、上記したように、ロックレバー３３のガタつきをロックレバーガイド４４で規制できるので、現像カートリッジ装着部４３からの現像カートリッジ２０の離脱を安定に規制することができる。
８．変形例
（１）上記した実施形態では、カートリッジの一例として現像カートリッジ２０を示しているが、カートリッジとしては、現像ローラなどの現像剤担持体を有さないトナーカートリッジとして構成することもできる。
（２）上記した実施形態では、ロックレバーガイド４４と下壁３７とを一体的に構成しているが、ロックレバーガイド４４と下壁３７とを別体で構成することもできる。
【符号の説明】
【０１４０】
１      ドラムカートリッジ
２      感光ドラム
１２    装置本体
２０    現像カートリッジ
３１    ドラムフレーム
３３    ロックレバー
３６Ｌ  左方の側壁
３７    下壁
４２    ドラムカートリッジ把持部
４３    現像カートリッジ装着部
４４    ロックレバーガイド
４４Ａ  ガイド部
４６    ドラム支持部
５３Ａ  リフト部の後下端部の右面
５４Ａ  規制部の後端部
５６    当接リブ
７６    現像カートリッジ把持部
Ａ１    回転軸線
Ａ２    中心軸線
Ｄ１    距離
Ｄ２    距離
【図１】
2015099223.tif 000003
【図２】
2015099223.tif 000004
【図３】
2015099223.tif 000005
【図４】
2015099223.tif 000006
【図５】
2015099223.tif 000007
【図６】
2015099223.tif 000008
【図７】
2015099223.tif 000009
【図８】
2015099223.tif 000010
【図９】
2015099223.tif 000011
【図１０】
2015099223.tif 000012